(57)【要約】【課題】宅配物が預けられるまではコンパクトに設置することができる宅配ボックスを提供する。【解決手段】実施形態の一例である宅配ボックス１００は、組み立て状態から折り畳み状態に折り畳み可能な宅配ボックス１００であって、前面が開口される箱形状の本体カバー１０と、本体カバー１０の前面に設けられると共に上方に開かれる天板２０と、本体カバー１０の前面に設けられると共に下方に開かれる底板３０と、折り畳み状態では本体カバー１０に収納される扉４０と、折り畳み状態では本体カバー１０に折り畳んで収納される側板５０，６０と、組み立て状態では本体カバー１０に対し底板を支持する一対のアーム１３，１３と、を備える。【選択図】図１
2020156845.tif 000002
【特許請求の範囲】
【請求項１】
組み立て状態から折り畳み状態に折り畳み可能な宅配ボックスであって、
前面が開口される箱形状の本体カバーと、
前記本体カバーの前面に設けられると共に上方に開かれる天板と、
前記本体カバーの前面に設けられると共に下方に開かれる底板と、
前記折り畳み状態では前記本体カバーに収納される扉と、
前記折り畳み状態では前記本体カバーに折り畳んで収納される側板と、
前記組み立て状態では前記本体カバーに対し前記底板を支持するアームと、
を備える、宅配ボックス。
【請求項２】
前記底板の内面には、レールが設けられ、
前記宅配ボックスを組み立てるときには、前記レールに案内されて前記扉が引き出される、請求項１記載の宅配ボックス。
【請求項３】
少なくとも前記天板、前記底板、前記扉および前記側板は、樹脂で形成される、請求項１または２に記載の宅配ボックス。
【発明の詳細な説明】
【技術分野】
【０００１】
本開示は、宅配ボックスに関する。
【背景技術】
【０００２】
宅配ボックスは、公知である。近年では、一戸建て住宅の玄関先または庭先に宅配ボックスが設置される。例えば、特許文献１には、一戸建て住宅に設置される宅配ボックスが開示される。
【先行技術文献】
【特許文献】
【０００３】
【特許文献１】特開２０１８−１９５９１０号公報
【発明の概要】
【発明が解決しようとする課題】
【０００４】
宅配ボックスは、宅配物を収納するため、所定の大きさが必要となる。しかし、日本では、住宅事情の問題があるため、大きな宅配ボックスを設置することが困難である。そこで、宅配業者によって宅配物が預けられるまでは、コンパクトに設置することができる宅配ボックスが求められる。
【０００５】
本開示の目的は、宅配物が預けられるまではコンパクトに設置することができる宅配ボックスを提供することである。
【課題を解決するための手段】
【０００６】
本開示の一態様である宅配ボックスは、組み立て状態から折り畳み状態に折り畳み可能な宅配ボックスであって、前面が開口される箱形状の本体カバーと、本体カバーの前面に設けられると共に上方に開かれる天板と、本体カバーの前面に設けられると共に下方に開かれる底板と、折り畳み状態では本体カバーに収納される扉と、折り畳み状態では本体カバーに折り畳んで収納される側板と、組み立て状態では本体カバーに対し底板を支持するアームと、を備える。
【発明の効果】
【０００７】
本開示の一態様によれば、宅配物が預けられるまではコンパクトに設置することができる宅配ボックスを提供できる。
【図面の簡単な説明】
【０００８】
【図１】組み立て状態の宅配ボックスの構成を示す斜視図である。
【図２】折り畳み状態の宅配ボックスの構成を示す斜視図である。
【図３】宅配ボックスの分解した状態を示す斜視図である。
【図４】アームの構成を示す斜視図である。
【図５】レールおよび摺動部の構成を示す斜視図である。
【図６】宅配ボックスを組み立てるときの動作を示す模式図である。
【図７】宅配ボックスを折り畳むときの動作を示す模式図である。
【発明を実施するための形態】
【０００９】
以下、図面を参照しながら、実施形態の一例を詳細に説明する。実施形態において参照する図面は、模式的に記載されたものであるから、図面に描画された構成要素の寸法などは、以下の説明を参酌して判断されるべきである。本明細書において、「略〜」との記載は、略同一を例に説明すると、完全に同一はもとより、実質的に同一と認められる場合を含む意図である。以下で説明する実施形態は例示であって、本開示の宅配ボックスはこれに限定されない。
【００１０】
以下、図面を用いて本開示の実施形態を説明する。以下で説明する形状、材料及び個数は、説明のための例示であって、宅配ボックスの仕様に応じて適宜変更することができる。以下ではすべての図面において同等の要素には同一の符号を付して説明する。また、本文中の説明においては、必要に応じてそれ以前に述べた符号を用いるものとする。
【００１１】
以下では、宅配ボックスが折り畳まれる方向を奥行き方向とする。扉が設けられる側を奥行き方向の前側とする。水平面において奥行き方向と直交する方向を幅方向とする。宅配ボックスの前面側に向かって右側を幅方向の右側とする。幅方向と奥行き方向とに直交する鉛直方向を高さ方向とする。
【００１２】
図１乃至図３を用いて、宅配ボックス１００の構成について説明する。図１は、組み立て状態の宅配ボックス１００の構成を表す斜視図である。図２は、折り畳み状態の宅配ボックス１００の構成を表す斜視図である。図３は、宅配ボックス１００の分解した状態を示す斜視図である。
【００１３】
宅配ボックス１００は、折り畳み可能である。宅配ボックス１００は、一戸建て住宅の玄関脇の壁面に設置されるが、これに限定されない。宅配ボックス１００は、例えば集合住宅等に設置されても良い。また、宅配ボックス１００は、例えば玄関脇の床面等に設置されても良い。
【００１４】
宅配ボックス１００は、宅配業者によって宅配物が預けられるまでは、折り畳まれた状態（折り畳み状態）となる。また、宅配ボックス１００は、宅配業者によって宅配物が届けられてからは、組み立てられた状態（組み立て状態）となる。
【００１５】
宅配ボックス１００は、本体カバー１０と、天板２０と、底板３０と、扉４０と、側板５０，６０と、を備える。側板５０は、第１側板５１と、第２側板５２と、を含む。側板６０は、第１側板６１と、第２側板６２と、を含む。
【００１６】
本体カバー１０は、前面が開口する箱形状に構成される。本体カバー１０は、カバー部１１と、フレーム１２と、一対のアーム１３，１３と、を備える。カバー部１１は、前面が開口する箱形状に構成される。カバー部１１は、上板１１Ａと、下板１１Ｂと、裏板１１Ｃと、側板１１Ｄ，１１Ｅと、を含む。カバー部１１は、例えば樹脂製である。
【００１７】
上板１１Ａの前端部には、天板２０がヒンジ固定される。下板１１Ｂの前端部には、底板３０がヒンジ固定される。裏板１１Ｃの内面の左端部には、第２側板５２がヒンジ固定される。裏板１１Ｃの内面の右端部には、第２側板６２がヒンジ固定される。
【００１８】
フレーム１２は、カバー部１１の開口部の前端面に沿って配置される。フレーム１２は、例えば金属製である。一対のアーム１３，１３は、本体カバー１０の幅方向の両端側にそれぞれ設けられる。一対のアーム１３，１３は、底板３０が下方に開かれたとき、底板３０が水平面に略平行な位置となるように支持する。アーム１３は、例えば金属製である。
【００１９】
天板２０は、本体カバー１０の前面に設けられる。天板２０は、例えば樹脂製である。天板２０は、上述したように、カバー部１１の上板１１Ａの前端部にヒンジ固定される。このような構成とすることで、天板２０は、本体カバー１０の前面の上側を覆った状態から上方に開かれる。
【００２０】
底板３０は、本体カバー１０の前面に設けられる。底板３０は、例えば樹脂製である。底板３０は、上述したように、カバー部１１の下板１１Ｂの前端部にヒンジ固定される。このような構成とすることで、底板３０は、本体カバー１０の前面の下側を覆った状態から下方に開かれる。底板３０は、上述したように、下方に開かれたときに水平面と略平行な位置にて一対のアーム１３，１３によって本体カバー１０に支持される。
【００２１】
底板３０の内面には、底板カバー３２が設けられる。底板カバー３２上には、一対のレール３４，３４が設けられる。一対のレール３４，３４は、底板３０の奥行き方向に沿って設けられる。
【００２２】
扉４０は、折り畳み状態では本体カバー１０に収納される。扉４０は、扉本体４１と、フレーム４２と、施錠装置４３と、摺動部４４と、を備える。扉本体４１は、フレーム４２の右端部にヒンジ固定される。扉本体４１は、例えば樹脂製である。
【００２３】
フレーム４２は、扉４０の四方を囲むように形成される。フレーム４２の左端部は、第２側板５２にヒンジ固定される。フレーム４２の右端部は、第２側板６２にヒンジ固定される。フレーム４２は、例えば樹脂製である。施錠装置４３は、扉本体４１をフレーム４２に施錠または開錠する装置である。
【００２４】
側板５０は、折り畳み状態では本体カバー１０に折り畳んで収納される。側板５０は、上述したように、第１側板５１と、第２側板５２と、を含む。第１側板５１および第２側板５２は、幅方向から見て略同一の長方形状に形成される。第１側板５１および第２側板５２は、例えば樹脂で形成される。
【００２５】
側板５０の第１側板５１の前端部は、扉４０のフレーム４２の左端部にヒンジ固定される。第１側板５１の後端部は、第２側板５２の前端部にヒンジ固定される。側板５０の第２側板５２の後端部は、本体カバー１０を構成するカバー部１１の裏板１１Ｃの内面の左端部にヒンジ固定される。このような構成とすることで、側板５０は、宅配ボックス１００の内側に折り曲げられる。
【００２６】
側板６０は、折り畳み状態では本体カバー１０に折り畳んで収納される。側板６０は、上述したように、第１側板６１と、第２側板６２と、を含む。第１側板６１および第２側板６２は、略同一の長方形状に形成される。第１側板６１および第２側板６２は、例えば樹脂で形成される。
【００２７】
側板６０の第１側板６１の前端部は、扉４０のフレーム４２の右端部にヒンジ固定される。第１側板６１の後端部は、第２側板６２の前端部にヒンジ固定される。側板６０の第２側板６２の後端部は、本体カバー１０を構成するカバー部１１の裏板１１Ｃの内面の右端部にヒンジ固定される。このような構成とすることで、側板６０は、宅配ボックス１００の内側に折り曲げられる。
【００２８】
次に、図４を用いて、アーム１３の構成について説明する。図４は、アーム１３の構成を示す斜視図である。
【００２９】
一対のアーム１３，１３は、本体カバー１０に対し、底板３０を支持する。一対のアーム１３は、下方に開かれたとき底板３０が水平面に略平行な位置となるように支持する。以下では、幅方向の左側のアーム１３と右側のアーム１３とは同じ構成であるため、左側のアーム１３について説明する。また、以下では、説明を分かり易くするため、底板３０が水平面に略平行な位置となるように支持された状態として説明する。
【００３０】
アーム１３は、幅方向から見て略三角形状に形成される。アーム１３には、三角形状の斜辺に沿って略長円形状の切欠き１３Ａが形成される。アーム１３は、例えば金属製である。
【００３１】
アーム１３は、本体カバー１０の取付部１４と、底板３０の取付部３３と、に接続されている。取付部１４は、本体カバー１０のカバー部１１の側板１１Ｄの奥行き方向の前端部かつ高さ方向の略中央部に設けられる。取付部１４には、ガイドピンＧＰが設けられる。
【００３２】
取付部３３は、底板３０の幅方向の左端部かつ奥行き方向の略中央部に設けられる。アーム１３は、取付部３３に回動自在に軸支される。具体的には、アーム１３と取付部３３とに略同径の孔を設け、それぞれの孔を貫通するピンＰによってアーム１３と取付部３３とを軸支する。
【００３３】
取付部１４のガイドピンＧＰがアーム１３の切欠き１３Ａを貫通することによって、アーム１３が取付部１４に支持される。底板３０が開閉されるときは、ガイドピンＧＰがアーム１３の切欠き１３Ａを移動することによって、ガイドピンＧＰに案内されてアーム１３の姿勢が変更される。
【００３４】
底板３０が下方に開かれた状態であって底板３０が水平面に略平行な状態では、ガイドピンＧＰはアーム１３の切欠き１３Ａの上端部に位置する。一方、底板３０が上方に閉じられた状態であって底板３０が本体カバー１０の前面に略平行な状態では、ガイドピンＧＰはアーム１３の切欠き１３Ａの下端部に位置する。
【００３５】
アーム１３の効果について説明する。アーム１３によれば、底板３０を水平面に略平行な状態で支持することによって、組み立て状態の宅配ボックス１００を箱体として維持することができる。
【００３６】
アーム１３によれば、底板３０を水平面に略平行な状態で支持することによって、扉４０をスムーズに前方に引き出すことができる。同時に、底板３０を水平面に略平行な状態で支持することによって、扉４０をスムーズに後方に押し戻すことができる。
【００３７】
アーム１３によれば、金属とすることによって剛性を向上し、宅配ボックス１００の最大搭載重量を向上することができる。
【００３８】
なお、変形例として、アーム１３が幅方向から見て長尺状に形成されても良い。
【００３９】
次に、図５を用いて、レール３４および摺動部４４の構成について説明する。図５は、レール３４および摺動部４４の構成を示す斜視図である。
【００４０】
一対のレール３４，３４は、底板カバー３２の内面に設けられる。底板３０が水平面と略平行な状態のときに、一対のレール３４，３４に案内されて扉４０が引き出される。以下では、説明を分かり易くするため、天板２０および底板３０が水平面と略平行な状態として説明する。ここで、「内面」とは、組み立て状態の宅配ボックス１００において内部を向く面とする。
【００４１】
一対のレール３４，３４は、奥行き方向に沿って、底板カバー３２の前端部から後端部まで設けられる。一対のレール３４，３４は、底板カバー３２の幅方向の左右側においてそれぞれの端部寄りに設けられる。
【００４２】
レール３４は、高さ方向から見て長尺状に形成される。レール３４は、奥行き方向に垂直な断面視においてＵ字形状に形成される。レール３４は、例えば金属製とされる。
【００４３】
摺動部４４は、高さ方向から見て長方形状に形成される。一対の摺動部４４，４４は、扉４０のフレーム４２の下端面に設けられる。宅配ボックス１００が組み立てられた状態において、フレーム４２の下端面に設けられる一対の摺動部４４，４４は、底板３０に設けられた一対のレール３４，３４上を摺動する。
【００４４】
摺動部４４およびレール３４の動作について説明する。底板３０が水平面と略平行な状態において、扉４０のフレーム４２の下端面に設けられた摺動部４４、４４は、レール３４，３４にそれぞれ係合する。
【００４５】
扉４０が前方に引き出されると、摺動部４４、４４がレール３４，３４を摺動する。摺動部４４、４４がレール３４，３４を摺動することによって、扉４０がスムーズに前方に引き出される。
【００４６】
レール３４の効果について説明する。レール３４によれば、扉４０をスムーズに前方に引き出す、または後方に押し戻すことができる。また、レール３４を例えば金属製とすることによって、摺動部４４との摩擦によってレール３４が消耗することがない。
【００４７】
なお、変形例として、一対のレール３４，３４を天板２０の内面にさらに設け、扉４０の上端面に一対の摺動部４４，４４を設け、天板２０の一対のレール３４，３４上に扉４０の一対の摺動部４４，４４を摺動させる構成としても良い。
【００４８】
また、変形例として、一対の摺動部４４，４４を一対のローラとしても良い。
【００４９】
次に、図６を用いて、宅配ボックス１００を組み立てるときの動作について説明する。図６は、宅配ボックス１００を組み立てるときの動作を示す模式図である。
【００５０】
宅配ボックス１００は、上述したように、宅配業者によって宅配物が預けられるときに、宅配業者によって組み立てられる。以下に、宅配ボックス１００の折り畳み状態から組み立て状態までをステップ毎に説明する。
【００５１】
ステップＳ１０において、宅配ボックス１００は、折り畳み状態として折り畳まれている。このとき、扉４０および側板５０，６０は、折り畳まれて本体カバー１０に収納されている。また、本体カバー１０では、天板２０と底板３０とが閉じられている。
【００５２】
ステップＳ２０において、宅配業者によって、本体カバー１０から天板２０が上方に開けられる。天板２０は、水平面と略平行な位置まで開けられる。このとき、天板２０を支持するものがないため、宅配業者によって、天板２０が支持される。
【００５３】
ステップＳ３０において、宅配業者によって、本体カバー１０から底板３０が下方に開けられる。底板３０は、水平面と略平行な位置まで開けられる。このとき、底板３０は、アーム１３（図４参照）によって本体カバー１０に支持される。
【００５４】
ステップＳ４０において、宅配業者によって、扉４０が本体カバー１０から引き出される。このとき、扉４０のフレーム４２に設けられた一対の摺動部４４，４４が底板３０のレール３４，３４を摺動する。扉４０が前方へ引き出されることによって、扉４０に追従するように、折り畳まれて収納されていた第１側板５１および第２側板５２が開かれて、宅配ボックス１００の側面を構成する。第１側板６１および第２側板６２も同様である。
【００５５】
次に、図７を用いて、宅配ボックス１００を折り畳むときの動作について説明する。図７は、宅配ボックス１００を折り畳むときの動作を示す模式図である。
【００５６】
宅配ボックス１００は、ユーザによって宅配物が取り出された後に、ユーザによって折り畳まれる。以下に、宅配ボックス１００の組み立て状態から折り畳み状態までをステップ毎に説明する。
【００５７】
ステップＳ５０において、宅配ボックス１００は、組み立て状態として組み立てられた状態である。このとき、宅配ボックス１００は、扉４０と、側板５０と、側板６０（図
３参照）と、本体カバー１０と、天板２０と、底板３０と、から構成される筐体として構成される。
【００５８】
ステップＳ６０において、ユーザによって、扉４０が本体カバー１０に押し戻される。このとき、扉４０のフレーム４２に設けられた摺動部４４，４４が底板３０のレール３４，３４を摺動する。扉４０が後方へ押し戻されることによって、扉４０に追従するように、宅配ボックス１００の側面を構成していた第１側板５１および第２側板５２が折り畳まれる。第１側板６１および第２側板６２も同様である。
【００５９】
ステップＳ７０において、ユーザによって、底板３０が上方に閉じられる。底板３０は、本体カバー１０の前面の下側を覆うように閉じられる。
【００６０】
ステップＳ８０において、ユーザによって、天板２０が下方に閉じられる。天板２０は、本体カバー１０の前面の上側を覆うように閉じられる。ステップＳ８０では、折り畳み状態としてのステップＳ１０と同様に、宅配ボックス１００は、折り畳み状態となる。
【００６１】
宅配ボックス１００の効果について説明する。宅配ボックス１００によれば、宅配業者によって宅配物が預けられるまでは、折り畳むことによってコンパクトに設置することができる。
【００６２】
宅配ボックス１００によれば、宅配業者によって宅配物が預けられるまでは、折り畳むことによって、外観上のシンプルな構成を実現することができるため、意匠性を向上することができる。
【００６３】
宅配ボックス１００によれば、宅配業者によって宅配物が預けられた後は、組み立てられることによって外観上の形状が大きくなり、宅配物が預けられたことが分かり易い。
【００６４】
宅配ボックス１００によれば、天板２０に折り畳み状態の宅配ボックス１００の上扉の機能を持たせ、底板３０を折り畳み状態の宅配ボックス１００の下扉の機能を持たせることによって、部品点数を削減し、部品コストの削減をすることができる。また、部品点数を削減することによって軽量化することができる。
【００６５】
宅配ボックス１００によれば、本体カバー１０のカバー部１１、天板２０、底板３０、扉４０および側板５０，６０を樹脂製とすることによって、軽量化することができる。
【００６６】
宅配ボックス１００によれば、本体カバー１０のカバー部１１、天板２０、底板３０、扉４０および側板５０，６０を樹脂製とすることによって、これらの部材を軽量化し、折り畳むまたは組み立てる動作をスムーズにすることができる。
【符号の説明】
【００６７】
１０  本体カバー、１１  カバー部、１２  フレーム、１３  アーム、２０  天板、３０  底板、３４  レール、４０  扉、４４  摺動部、５０  側板、６０  側板、１００  宅配ボックス
【図１】
2020156845.tif 000003
【図２】
2020156845.tif 000004
【図３】
2020156845.tif 000005
【図４】
2020156845.tif 000006
【図５】
2020156845.tif 000007
【図６】
2020156845.tif 000008
【図７】
2020156845.tif 000009